(57)【要約】【目的】  ユーザが現在受信しているテレビ番組を、チャンネル切り換え操作なくして相手通信装置が受信できるようにする「テレビ付き通信装置及びそのテレビ番組通知方法」を提供することである。【構成】  現在受信しているテレビ番組を特定する情報を相手通信装置に通知するための操作部を備え、該操作部が操作されたとき、受信中テレビ番組を特定する情報を取得して相手通信装置に通知し、相手通信装置は、該通知されたテレビ番組情報に基づいてテレビ番組のチャンネルを取得して該チャンネルのテレビ放送を受信して表示する。【選択図】        図１
2006295286.tif 000002
【特許請求の範囲】
【請求項１】
テレビ放送受信機能と無線通信機能を備えたテレビ付き通信装置において、
現在受信しているテレビ番組を特定する情報を通話中の相手通信装置に通知するための操作部、
該操作部が操作されたときに受信しているテレビ番組を特定する番組情報を取得すると共に、相手通信装置から通知されたテレビ番組情報に基づいてテレビ番組のチャンネルを取得して該チャンネルのテレビ放送を受信する制御部、
前記制御部が取得したテレビ番組情報を相手通信装置に送信すると共に、相手通信装置から送信されたテレビ番組情報を受信する送受信部、
を備えたことを特徴とするテレビ付き通信装置。
【請求項２】
前記送受信部は、
音声データと前記テレビ番組情報を多重して送信する合成手段、
受信信号より音声データとテレビ番組情報を分離する分離手段、
を備えたことを特徴とする請求項１記載のテレビ付き通信装置。
【請求項３】
テレビ放送受信機能と無線通信機能を備えたテレビ付き通信装置のテレビ番組通知方法において、
現在受信しているテレビ番組を特定する情報を相手通信装置に通知するための操作がなされたとき、該受信しているテレビ番組を特定する番組情報を取得し、
該取得したテレビ番組情報を音声データに多重して通話中の相手通信装置に送信する、
ことを特徴とするテレビ付き通信装置のテレビ番組通知方法。
【請求項４】
通知されたテレビ番組情報を受信信号より分離し、
該テレビ番組情報に基づいてテレビ番組のチャンネルを取得し、
該チャンネルのテレビ放送を受信する、
ことを特徴とする請求項３記載のテレビ付き通信装置のテレビ番組通知方法。
【発明の詳細な説明】
【技術分野】
【０００１】
本発明はテレビ付き通信装置及びそのテレビ番組通知方法に係わり、特にテレビ放送受信機能と無線通信機能を備え、現在受信中のテレビ番組情報を通話中の相手に送信して自動的に該番組を受信できるようにしたテレビ付き通信装置及びそのテレビ番組通知方法に関する。
【背景技術】
【０００２】
テレビジョン技術、通信技術の進歩により、テレビ放送受信機能と無線通信機能を備えた装置が実用に供されるようになっている。たとえば、テレビ付き携帯電話機、テレビ付きパソコン、テレビ・ハンズフリー電話機付きの車載器等である。
ところで、車載器のハンズフリー通話で県をまたぐほど遠隔地にいる車両乗員同士で話をしているような状況、あるいは、県をまたぐほどの遠隔地の相手と携帯電話している状況において、会話から相手通話者が見ているテレビと同じ番組を見たくなる場合がある。かかる場合、従来は「○○チャンネルを見ている」のように相手通話者に会話で伝えるものであった。
しかし、県をまたぐほど遠隔地では、同一テレビ番組であってもチャンネル番号が違う為、同じ番組のチャンネルに合わせるには相手と話しをしながら何回もチャンネル切り替えを行う必要がある。また、同一テレビ番組を放送していれば手間はかかるがなんとか目的とする番組を受信できるようになるが、同一テレビ番組を放送していない場合があり、かかる場合には同一テレビ番組を放送していないことが判明するまでチャンネル切り換えをしなくてはならない。以上より、従来は、ユーザが現在受信しているテレビ番組を相手通話者が簡単に、あるいは自動的に受信できない問題があった。
なお、従来技術として、放送局名を音声入力して選局を行うようにした放送受信装置の選局制御装置がある(たとえば特許文献１参照)。この従来技術では、音声入力された放送局名を認識し、該認識した放送局の放送サービスエリアが現車輌位置をカバーしていれば該放送局を選局し、カバーしてなければサービスエリアが現車輌位置をカバーする同じ放送局系列の放送局を求め、該放送局を選局するものである。
【特許文献１】特開２００２−１１８４７８号公報
【発明の開示】
【発明が解決しようとする課題】
【０００３】
しかし、上記の従来技術は、ユーザが現在受信しているテレビ番組を、簡単にあるいは自動的に相手通話者に受信させるようにしたものではない。
以上から本発明の目的は、ユーザが現在受信しているテレビ番組を、チャンネル切り換え操作なくして相手通話者が受信できるようにすることである。
【課題を解決するための手段】
【０００４】
上記課題は本発明によれば、テレビ放送受信機能と無線通信機能を備えたテレビ付き通信装置において、現在受信しているテレビ番組を特定する情報を通話中の相手通信装置に通知するための操作部、該操作部が操作されたときに受信しているテレビ番組を特定する情報を取得すると共に、相手通信装置から通知されたテレビ番組情報に基づいてテレビ番組のチャンネルを取得して該チャンネルのテレビ放送を受信する制御部、前記制御部が取得したテレビ番組情報を相手通信装置に送信すると共に、相手通信装置から送信されたテレビ番組情報を受信する送受信部を備えたテレビ付き通信装置により達成される。なお、前記送受信部は、音声データと前記テレビ番組情報を多重して送信する合成手段、受信信号より音声データとテレビ番組情報を分離する分離手段を備えている。
また、上記課題は本発明によれば、テレビ放送受信機能と無線通信機能を備えたテレビ付き通信装置のテレビ番組通知方法において、現在受信しているテレビ番組を特定する情報を相手通信装置に通知するための操作がなされたとき、該受信しているテレビ番組を特定する番組情報を取得し、該取得したテレビ番組情報を音声データに多重して通話中の相手通信装置に送信するテレビ番組通知方法により達成される。なお、相手通信装置は、通知されたテレビ番組情報を受信信号より分離し、該テレビ番組情報に基づいてテレビ番組のチャンネルを取得し、該チャンネルのテレビ放送を受信する。
【発明の効果】
【０００５】
本発明によれば、現在受信しているテレビ番組を特定する情報を相手通信装置に通知するための操作部を備え、該操作部が操作されたとき、受信中テレビ番組を特定する情報を取得して相手通信装置に通知し、相手通信装置は、該通知されたテレビ番組情報に基づいてテレビ番組のチャンネルを取得して該チャンネルのテレビ放送を受信して表示するようにしたから、ユーザが現在受信しているテレビ番組を、チャンネル切り換え操作なくして自動的に受信できるようになった。
【発明を実施するための最良の形態】
【０００６】
本発明のテレビ付き通信装置は、現在受信しているテレビ番組を特定する情報を相手通信装置に通知するための操作部を備え、該操作部が操作されたとき、受信中テレビ番組を特定する情報を取得して相手通信装置に通知し、相手通信装置は該通知されたテレビ番組情報に基づいてテレビ番組のチャンネルを取得して該チャンネルのテレビ放送を受信して表示する。
【実施例１】
【０００７】
(A)本発明の全体の流れ
図１はテレビ受信制御の全体の流れ説明図である。
佐藤さんが車載器101でテレビを見ながらハンズフリーで通話している。相手通話者の田中さんも車載器102でテレビを見ながらハンズフリーで通話している。会話から田中さんが佐藤さんが見ているテレビと同じ番組(サッカー)を見たくなる場合がある。かかる場合、佐藤さんはテレビ画面上に表示されているソフトキー(コンテンツリンクアイコン)103をタッチする。表示画面はタッチパネルになっており、コンテンツリンクアイコンがタッチされたことを車載器101は検出すると、現在受信しているテレビ番組(サッカー)を特定する番組情報を取得して通話中の田中さんに通知する。なお、テレビ放送がディジタル放送であれば、電子番組ガイド(Electric Program Guide :EPG)情報が受信放送信号に含まれているから、該EPG情報より現在受信中の番組情報104を取得して通話中の田中さんに通知する。田中さんの車載器102は佐藤さんから通知されたテレビ番組情報に基づいてテレビ番組のチャンネルを取得し(自動番組検索105)、該チャンネルのテレビ放送を受信する(TVチャンネル自動切換え106)。
【０００８】
図２はテレビ付き携帯電話機におけるディジタルテレビ放送受信装置51の構成図である。アンテナ1は衛星からの放送信号電波を受信し、フロントエンド部（F/E）2は、アンテナ1を介して受信した放送信号の中から所望の受信周波数成分を抽出すると共に、抽出した放送信号に対して周波数変換を施して中間周波数信号を出力する。べースバンド部3は、直交復調部3a、FEC処理部3b、デインタリーブ＆デスクランブル部3c、誤り検出／訂正処理部3dを備え、フロントエンド部2から出力する中間周波信号に対して、直交復調処理、FEC（Forward Error Correction）処理を行い、ついで、デインタリーブを解くと共にデスクランブルして元のデータ列に戻し、最後に、誤り検出／訂正処理(リードソロモン復号処理)を行って高能率符号データ（MPEGデータ）を出力する。データ分離部4はベースバンド処理部3から入力する全チャネルの高能率符号データ（MPEGデータ）から、ユーザが選択したチャネルのMPEGビデオデータ／MPEGオーディオデータ及び情報データをそれぞれ分離し、MPEGビデオデータ／MPEGオーディオデータを音声／映像デコード部5に入力し、情報データ（電子番組ガイド情報を含む）を、情報データデコード部13を介して制御部6に入力する。音声／映像デコード部5は入力されたMPEGビデオデータ／MPEGオーディオデータをそれぞれ音声信号、映像信号にデコードし、音声信号をアンプ7へ、映像信号を画像合成部9へ出力し、スピーカ8から音声を出力すると共に表示部10に映像を表示する。
【０００９】
制御部6はディジタル放送受信機全体を制御するものであり、(1)フロントエンド部2による周波数同調制御(選局制御)、(2)データ分離部4への受信チャネルの指示制御、(3)受信した電子番組情報に基づいたチャネル選択用メニュー画像の作成制御、(4) コンテンツリンク指示による受信中番組情報の抽出制御等を行う。画像合成部9は音声／映像デコード部５から入力される映像信号と制御部6から適宜入力されるメニュー画像等を合成し、表示部10に表示する。操作部11は視聴チャネルの選択操作、音量調整操作等の操作を行う。タッチパネル14は画面に表示されたアイコン(コンテンツリンクアイコン：図1参照)がタッチされたとき、コンテンツリンク信号を制御部6に入力する。
制御部6はコンテンツリンク信号が入力すると、現在受信中の番組情報PINF1を電子番組ガイド情報から取得してインターフェース15を介して携帯電話機52に通知する。図３は電子番組ガイド情報（EPG情報）から取得できる番組情報であり、このうち、たとえば、(1)サービス提供者、(2)番組のタイトルを携帯電話機52に通知する。
また、制御部6は携帯電話機52からインターフェース15を介して相手通話者から送信された番組情報PINF2を受信すれば、該番組情報PINF2に対応するチャンネルを電子番組ガイド情報から取得し、該チャンネルを受信するようデータ分離部4に指示する。これにより、相手通話者から通知されたテレビ番組をチャンネル操作なくして自動的に受信することが可能となる。
【００１０】
図４は携帯電話機の要部構成図であり、マイク20から入力した通話者の音声信号は送信音声処理部22でAD変換その他の処理を施されて合成部23に入力する。番組情報挿入部24はディジタルテレビ放送受信装置51から受信した番組情報PINF1を送信ディジタルデータDT1に挿入して合成部23に入力する。合成部23はフレーム単位で音声データと送信ディジタルデータを時分割多重して送信部21に入力する。送信部2１は該フレームデータを無線信号にしてデュープレクサ25を介してアンテナATNより送信する。
相手通話者の携帯電話機から送信された無線信号はアンテナATNにより受信され、デュープレクサ25を介して受信部26に入力し、ベースバンド信号に変換されて分離部27に入力する。分離部27は音声データと受信ディジタルデータを分離し、受信音声処理部28は音声データにDA変換処理などを施してスピーカ29より相手通話者の音声を出力する。また、番組情報抽出部30は受信ディジタルデータより番組情報PINF2を抽出してディジタルテレビ放送受信装置51に入力する。
以上の実施例では本発明をテレビ付き携帯電話機について説明したが、本発明はテレビ付きパソコン、テレビおよびハンズフリー電話機付きの車載器等にも適用できることは明らかである。
【図面の簡単な説明】
【００１１】
【図１】テレビ受信制御の流れ説明図である。
【図２】テレビ付き携帯電話機におけるディジタルテレビ放送受信装置の構成図である。
【図３】電子番組ガイド情報から取得できる番組情報説明図である。
【図４】携帯電話機の要部構成図である。
【符号の説明】
【００１２】
101  車載器
102車載器
103ソフトキー(コンテンツリンク)
104番組情報
105自動番組検索
106TVチャンネル自動切換え
【図１】
2006295286.tif 000003
【図２】
2006295286.tif 000004
【図３】
2006295286.tif 000005
【図４】
2006295286.tif 000006